(57)【特許請求の範囲】
【請求項１】
配線器具の表面に突出形成された作用部が挿入される開口部とこの開口部を挟んで対向する一対の器具支持部とを有し、前記開口部に前記作用部を挿入させた前記配線器具の表面を一対の前記器具支持部の裏面で当接支持する枠体と；
前記枠体における一方の前記器具支持部に設けられ、この器具支持部の裏面に当接支持される前記配線器具の一側部を係止する固定係止部と；
前記枠体における他方の前記器具支持部に設けられ、この器具支持部の裏面に当接支持された前記配線器具の他側部から側方に向けて延出する係止爪をその器具支持部の裏面との間で挟持し、挟持する前記係止爪の延出方向に弾性変形することによって前記係止爪の挟持を解放する可動係止部と；
前記他方の前記器具支持部の外端面と前記可動係止部との間へのプラスドライバ様工具の挿入を許容する挿入許容部と；
を具備し、前記挿入許容部は、前記他方の前記器具支持部の外端面と前記可動係止部との対向部分にそれぞれ形成された弧状の凹部によって構成されており、前記可動係止部に形成された前記凹部は前記配線器具の作用部の挿入方向に向かって前記他方の器具支持部から離間するように形成された半すり鉢形状である、ことを特徴とする配線器具の取付枠。
【請求項２】
前記可動係止部は、前記配線器具の他側部から側方に向けて延出する一対の前記係止爪をそれぞれ前記器具支持部の裏面との間で挟持する一対の係止作用部を有し、前記挿入許容部は、それらの一対の係止作用部の間に設けられていることを特徴とする請求項１記載の配線器具の取付枠。
【請求項３】
前記可動係止部における前記挿入許容部を形成する部分の幅は、前記配線器具における前記一対の係止爪の間の間隔と略同一であり、前記可動係止部における前記挿入許容部を形成する部分は、前記係止作用部よりも高く形成されていることを特徴とする請求項２記載の配線器具の取付枠。
【発明の詳細な説明】
【０００１】
【発明の属する技術分野】
本発明は、スイッチやコンセント等のような配線器具を取り付けるための配線器具の取付枠に関する。
【０００２】
【従来の技術】
従来、スイッチやコンセント等のような配線器具を備えた配線装置は、配線器具を取付枠に取り付け、営造物である壁面に埋め込まれた配線ボックスから引き出された配線を接続器具に接続した上で取付枠を配線ボックスにねじ止めし、配線器具の作用部を露出させた状態で取付枠等を覆う化粧プレートを取り付けることで壁面に設置されている。ここで、配線器具の「作用部」というのは、その配線器具の作用を奏する部分を意味し、例えば、スイッチの場合であればスイッチ操作部、コンセントの場合であればプラグ挿入部が「作用部」に該当する。
【０００３】
図８は従来の取付枠の一例を示す正面図、図９は図８の取付枠に取り付けられる配線器具としてスイッチの一例を示す斜視図である。図８に例示する取付枠１０１は、配線器具としてのスイッチ１０２を３個並列に取り付けることができる構造となっている。このような取付枠１０１は、スイッチ１０２の表面に突出形成された作用部１０３が挿入される開口部１０４と、この開口部１０４を挟んで対向する一対の器具支持部１０５とを有する枠体１０６を基本構造として構成されている。そして、一方の器具支持部１０５ａに設けられた固定係止部１０７をスイッチ１０２の一方の係止孔１０８に挿入して係止した上で、スイッチ１０２の他方の係止孔（図示せず）に他方の器具支持部１０５ｂのかしめ係止部１０９を挿入して係止することで、スイッチ１０２を取付枠１０１に取り付けることができる。ここで、かしめ係止部１０９は、開口部１０４に面した雲形部１１０と、この雲形部１１０に沿って器具支持部１０５ｂに形成された切欠部１１１とによって形成されている。そこで、スイッチ１０２の図示しない方の係止孔を雲形部１１０に対面させた状態で切欠部１１１にマイナスドライバ等を挿入して雲形部１１０を係止孔に向けて変形させることでかしめ係止部１０９がかしめられ、このかしめ係止部１０９がスイッチ１０２の図示しない方の係止孔に挿入される。
【０００４】
図８に例示したような配線器具の取付枠１０１は、一枚の板金にプレス加工、押し抜き加工、曲げ加工等を施すことで容易に作成することができる反面、配線器具の取り付けや取り外しに際してかしめ係止部１０９のかしめが必要であることから配線器具の着脱作業が煩雑である。そこで、配線器具に設けられた係止爪（例えば、図９に示すようなスイッチ１０２の係止爪１１２）を器具支持部の外端面との間で挟持する可動係止部を設けることで、ワンタッチで配線器具を取り付けることができるようにした取付枠が考えられ、広く普及している。このような取付枠では、可動係止部が係止爪の延出方向に弾性変形可能となっている。そこで、配線器具を一方の器具支持部に係止した上で配線器具の作用部を取付枠の開口部に挿入すると、配線器具の係止爪が可動係止部を弾性変形させつつこの可動係止部を乗り越える。これにより、その係止爪が器具支持部の外端面と可動係止部との間に挟持される。そして、一旦取り付けた配線器具を取付枠から取り外す場合には、器具支持部の外端面と可動係止部との間の僅かな隙間にマイナスドライバ等を差し込み、可動係止部を弾性変形させて配線器具の係止爪を脱落させる。
【０００５】
【発明が解決しようとする課題】
図８に例示したような取付枠１０１では、配線器具（例えばスイッチ１０２）の取り付け及び取り外しにマイナスドライバやマイナスドライバ様の工具が必要となる。また、ワンタッチで配線器具を取り付けることができるようにした取付枠でも、一旦取り付けた配線器具を取付枠から取り外す場合には、マイナスドライバやマイナスドライバ様の工具が必要となる。
【０００６】
ところが、営造物に配線ボックスを取り付けたり、この配線ボックスに取り付け枠を取り付けたりするには、プラスねじを用いるのが一般的である。このため、取付枠を扱う工事業者は、プラスドライバを使用することが圧倒的に多い。このため、取付枠に対する配線器具の着脱にマイナスドライバやマイナスドライバ様の工具が必要となると、工事業者はマイナスドライバ等を用意しなければならないため、工具の用意や管理が面倒であるという問題がある。
【０００７】
本発明の目的は、配線器具をワンタッチで取付枠に取り付けることができ、取付枠に取り付けられた配線器具をプラスドライバ様工具によって取付枠から取り外すことができる配線器具の取付枠を得ることである。
【０００８】
【課題を解決するための手段】
請求項１記載の配線器具の取付枠の発明は、配線器具の表面に突出形成された作用部が挿入される開口部とこの開口部を挟んで対向する一対の器具支持部とを有し、前記開口部に前記作用部を挿入させた前記配線器具の表面を一対の前記器具支持部の裏面で当接支持する枠体と；前記枠体における一方の前記器具支持部に設けられ、この器具支持部の裏面に当接支持される前記配線器具の一側部を係止する固定係止部と；前記枠体における他方の前記器具支持部に設けられ、この器具支持部の裏面に当接支持された前記配線器具の他側部から側方に向けて延出する係止爪をその器具支持部の裏面との間で挟持し、挟持する前記係止爪の延出方向に弾性変形することによって前記係止爪の挟持を解放する可動係止部と；前記他方の前記器具支持部の外端面と前記可動係止部との間へのプラスドライバ様工具の挿入を許容する挿入許容部と；を具備する。
【０００９】
「枠体」は、例えば、一枚の板金にプレス加工、押し抜き加工、曲げ加工等を施すことによって形成される。その材料としては、例えば、亜鉛クロマイトメッキを施した鉄（ＳＰＣＣ）等が用いられる。もっとも、「枠体」は、これに限定されるわけではない。
【００１０】
このような「枠体」が有する「器具支持部」は、開口部に作用部を挿入させた配線器具の表面を当接支持するが、この場合の支持は、固定的な支持を意味しない。開口部に作用部を挿入させた配線器具は、「固定係止部」および「可動係止部」によって枠体に固定される。
【００１１】
「配線器具」の「作用部」は、その配線器具の作用を奏する部分を意味し、例えば、スイッチの場合であればスイッチ操作部、コンセントの場合であればプラグ挿入部が「作用部」に該当する。
【００１２】
「固定係止部」は、例えば、配線器具に設けられた係止孔に挿入されるような枠体の開口部に突出する部材によって形成される。このような部材は、枠体と一体で形成することが可能である。もっとも、「固定係止部」は、このような構造等に限定されるわけではない。
【００１３】
「可動係止部」は、例えば、弾性を有する金属片等によって形成される。その材料としては、例えば、厚さ０．３ｍｍ程度のステンレス（ＳＵＳ）等が用いられる。もっとも、「可動係止部」は、このようなものに限定されるわけではない。
【００１４】
「プラスドライバ様工具」というのは、プラスドライバそのものや、プラスドライバのような形状を持つ工具を意味する。
【００１５】
したがって、請求項１記載の発明によれば、配線器具の一側部を固定係止部に係止させた状態で枠体の開口部に配線器具の作用部を挿入すると、その挿入動作に伴い配線器具の他側部から側方に向けて延出する係止爪が可動係止部を弾性変形させつつ最終的に可動係止部を乗り越える。これにより、係止爪が枠体における他方の器具支持部の裏面と可動係止部との間に挟持されて係止される。この状態において、配線器具は、その表面が一対の器具支持部の裏面に当接支持された状態でその両側部が固定係止部と可動係止部とに係止され、作用部を枠体の開口部から挿通させた状態で取付枠に取り付けられる。そして、取付枠に取り付けられた配線器具を取り外す場合には、挿入許容部にプラスドライバ様工具を挿入し、係止爪の延出方向に可動係止部を弾性変形させる。これにより、器具支持部の裏面と可動係止部との間での係止爪の挟持が解放され、配線器具の取り外しが可能となる。
【００１６】
請求項１記載の発明は、前記挿入許容部は、前記他方の前記器具支持部の外端面と前記可動係止部との対向部分にそれぞれ形成された弧状の凹部によって構成されている。
【００１７】
「器具支持部の外端面に形成された凹部」は、例えば、枠体の押し抜き加工によって形成される。もっとも、このような工程での形成に限定されるわけではない。
【００１８】
「可動係止部に形成された凹部」は、例えば、可動係止部のプレス加工によって形成される。もっとも、このような工程での形成に限定されるわけではない。
【００１９】
したがって、器具支持部の外端面と可動係止部との対向部分にそれぞれ形成された弧状の凹部にプラスドライバ様工具を挿入し、係止爪の延出方向に可動係止部を弾性変形させることで、器具支持部の裏面と可動係止部との間での係止爪の挟持が解放され、配線器具の取り外しが可能となる。
【００２０】
請求項１記載の発明は、前記可動係止部に形成された前記凹部は半すり鉢形状である。
【００２１】
「可動係止部に形成された半すり鉢形状の凹部」は、例えば、可動係止部のプレス加工によって形成される。この場合、半すり鉢形状となっているので、プレス加工によって凹部を形成する場合、可動係止部を構成する金属部材に無理がかからない。もっとも、請求項１記載の発明における「凹部」は、このような工程での形成に限定されるわけではない。
【００２２】
請求項２記載の発明は、請求項１記載の配線器具の取付枠において、前記可動係止部は、前記配線器具の他側部から側方に向けて延出する一対の前記係止爪をそれぞれ前記器具支持部の裏面との間で挟持する一対の係止作用部を有し、前記挿入許容部は、それらの一対の係止作用部の間に設けられている。
【００２３】
したがって、可動係止部における一対の係止作用部によって、配線器具は安定して可動係止部に係止される。
【００２４】
請求項３記載の発明は、請求項２記載の配線器具の取付枠において、前記可動係止部における前記挿入許容部を形成する部分の幅は、前記配線器具における前記一対の係止爪の間の間隔と略同一であり、前記可動係止部における前記挿入許容部を形成する部分は、前記係止作用部よりも高く形成されている。
【００２５】
したがって、器具支持部の裏面と可動係止部との間に挟持された配線器具の一対の係止爪は、可動係止部における挿入許容部を形成する部分によって位置固定され、配線器具は安定して可動係止部に係止される。
【００２６】
【発明の実施の形態】
本発明の実施の一形態を図１ないし図７に基づいて説明する。図１は配線器具の取付枠の正面図、図２はその側面図、図３は固定係止部を拡大して示す縦断側面図、図４は可動係止部を拡大して示す斜視図、図５は固定係止部および可動係止部に対する配線器具の係止構造および係止手順を説明するための取付枠を断面にして示す側面図、図６は固定係止部に対する配線器具の係止構造を説明するための斜視図、図７は可動係止部に対する配線器具の係止構造を説明するための斜視図である。
【００２７】
本実施の形態は、配線器具としてスイッチ１０２を用いた図示しない配線装置に用いられる取付枠１の一例である。そのスイッチ１０２は、図９に示すスイッチ１０２と同一の構造のものである。そこで、本実施の形態の説明には、図９も適宜用いる。図９は、配線器具としてスイッチ１０２の一例を示す斜視図である。
【００２８】
まず、スイッチ１０２をより詳しく説明する。このスイッチ１０２は、内部に構造物を収納する下部ケース１２１と上部ケース１２２との両側部が一対の係止金具１２３によってかしめ固定された構造のものである。作用部１０３は上部ケース１２２側に設けられている。そして、それぞれの係止金具１２３には、側方に向けて延出する一対の係止爪１１２が一体形成されている。これらの係止爪１１２は、所定の間隔を開けて配置されている。
【００２９】
次いで、取付枠１について説明する。取付枠１は、例えば、亜鉛クロマイトメッキを施した鉄（ＳＰＣＣ）にプレス加工、押し抜き加工、曲げ加工等を施すことによって形成され、３つのスイッチ１０２を並列に取り付けることができる構造となっている。このような取付枠１は、開口部２と一対の器具支持部３とを有する枠体４を基本的構造物として備える。開口部２は、スイッチ１０２の表面に突出形成された作用部１０３の挿入を許容する。一対の器具支持部３は、開口部２を挟んで対向配置された２辺である。これらの器具支持部３は、開口部２に作用部１０３を挿入させたスイッチ１０２の表面側の一部、ここでは係止金具１２３の一部を裏面側で当接支持する構造となっている。そして、取付枠１は、一方の器具支持部３ａに固定係止部５を備え、他方の器具支持部３ｂに可動係止部６を備え、これらの固定係止部５と可動係止部６とにスイッチ１０２を係止させて固定する。
【００３０】
固定係止部５は、枠体４における一方の器具支持部３ａに設けられ、この器具支持部３ａの裏面に当接支持されるスイッチ１０２の一側部に設けられた係止孔１０８を係止する。つまり、器具支持部３ａには、開口部２に突出し、スイッチ１０２の係止孔１０８に挿入される３つの凸部が形成され、これらの凸部が固定係止部５となっている。したがって、これらの固定係止部５は、３つのスイッチ１０２の作用部１０３が開口部２の内部で並列配置された場合、それらのスイッチ１０２の各々の係止孔１０８に挿入され得る位置に形成されている。
【００３１】
また、図３に示すように、器具支持部３ａは、固定係止部５から離反するにつれて枠体４の表面側に向うように僅かに折り曲げられている。これにより、器具支持部３ａは、枠体４の裏面を含む平面に対し、θ分の角度をもって傾斜した状態となっている。このような器具支持部３ａの傾斜は、図５（ａ）に示すように、取付枠１に対するスイッチ１０２の取り付けに際し、スイッチ１０２の一方の係止金具１２３が枠体４の裏面を含む平面に対してある程度進入しなければならないので、このような進入を許容するために設けられている。これにより、取付枠１に対するスイッチ１０２の取り付けに際し、取付枠１に対してスイッチ１０２をθ分の傾斜角を持って傾斜させることができる。
【００３２】
さらに、図１に示すように、器具支持部３ａには、３つの固定係止部５の近傍に位置させて、長孔状のかしめ孔７が形成されている。このかしめ孔７は、マイナスドライバやマイナスドライバ様の工具の挿入を許容する。そして、器具支持部３ａは、かしめ孔７に挿入されたマイナスドライバ等の工具を捻ることで固定係止部５が開口部２の側に侵入するように変形するよう構成されている。
【００３３】
可動係止部６は、器具支持部３ｂにおける開口部２を介して固定係止部５と対向する３箇所にそれぞれ設けられ、器具支持部３ｂの外端面８との間に僅かな隙間を開けて取り付けられ、その器具支持部３ｂの裏面に当接支持されたスイッチ１０２の係止爪１１２を器具支持部３ｂの裏面との間で挟持し、弾性変形することによって係止爪１１２の挟持を解放する構造のものである。つまり、器具支持部３ｂには、その外端面８よりも外方に位置させて、器具支持部３ｂの端部から枠体４の裏面側に向けて延出する可動係止部取付片９が設けられている。この可動係止部取付片９は、図２に示すように、可動係止部６が設けられる３箇所の位置に空間部１０を有する。そして、このような可動係止部取付片９には、可動係止部６を形成する金属弾性片１１が取り付けられている。この金属弾性片１１は、例えば、厚さ０．３ｍｍ程度のステンレス（ＳＵＳ）を用いた金属部材であり、一端が折り曲げ加工されて可動係止部取付片９に巻き付き、他端が直角に曲げ加工されて器具支持部３ｂの裏面に固定されている。その固定は、金属弾性片１１に形成された図示しない孔に対し、器具支持部３ｂの表面側からのパンチ加工によってその裏面側に突出形成された複数個のピン１２が圧入され、これらのピン１２の頭が潰されることによる。そして、金属弾性片１１には、可動係止部取付片９の３つの空間部１０に独立して位置付けられる切欠部分が形成され、これらの切欠部分が可動係止部６として形成されている。このような可動係止部６は、空間部１０に位置することから、何れの方向にも弾性変形が可能である。
【００３４】
ここで、可動係止部６には、中央部分が上方に突出する高い部分となり、その両側に中央部よりも低い一対の係止作用部１３が形成されている。これらの係止作用部１３が、スイッチ１０２の係止爪１１２を器具支持部３ｂの裏面との間で挟持する作用をもたらす。
【００３５】
次いで、本実施の形態の取付枠１には、器具支持部３ｂの外端面８と可動係止部６との間への図示しないプラスドライバなどのプラスドライバ様工具の挿入を許容する３つの挿入許容部１４が設けられている。これらの挿入許容部１４は、それぞれ、一対の係止作用部１３の間に位置付けられている。また、それらの挿入許容部１４は、可動係止部６に対面する器具支持部３ｂの外端面８に形成された円弧状の凹部１４ａと、可動係止部６の係止作用部１３よりも高い中央部分に形成された円弧状の凹部１４ｂとによって形成されている。可動係止部６に形成された凹部１４ｂは、半すり鉢形状をしており、金属弾性片１１のプレス加工によって形成されている。このようなプレス加工に際し、凹部１４ｂは半すり鉢形状をしているので、金属弾性片１１に無理がかからない。そして、可動係止部６における挿入許容部１４を形成する凹部１４ａが形成された部分、つまり、可動係止部６の係止作用部１３よりも高い中央部分の幅は、スイッチ１０２の一対の係止爪１１２の間の間隔と略同一に形成されている。
【００３６】
さらに、本実施の形態の取付枠１は、図示しない配線ボックスへのねじ止めのために用いられるねじ孔１５等の各部を備えるが、これらの各部についてはその説明を省略する。
【００３７】
このような構成において、取付枠１にスイッチ１０２を取り付けるには、スイッチ１０２の一側方に設けられた係止孔１０８に器具支持部３の固定係止部５を挿入させて係止した状態で（図５（ａ）参照）、枠体４の開口部２にスイッチ１０２の作用部１０３を挿入する。すると、その挿入動作に伴い、スイッチ１０２の他側部から側方に向けて延出する係止爪１１２が可動係止部６を弾性変形させつつ可動係止部６の係止作用部１３を乗り越える。これにより、スイッチ１０２の係止爪１１２が器具支持部３ｂの裏面と可動係止部６との間に挟持されて係止される。この状態において、スイッチ１０２は、その表面が一方の器具支持部３ａの裏面に当接支持されると共に他方の器具支持部３ｂの裏面に金属弾性片１１を介して当接支持された状態でその両側部が固定係止部５と可動係止部６とに係止され、作用部１０３を枠体４の開口部２から挿通させた状態で取付枠１に取り付けられる（図５（ｂ）参照）。この状態では、スイッチ１０２における一対の係止爪１１２の間に、可動係止部６における挿入許容部１４を形成する凹部１４ａが形成された部分、つまり、可動係止部６の係止作用部１３よりも高い中央部分が挟まれた状態となるので、可動係止部６によるスイッチ１０２の係止が固定的となって安定した状態となる。
【００３８】
そして、取付枠１に取り付けられたスイッチ１０２を取り外す場合には、挿入許容部１４にプラスドライバなどのプラスドライバ様工具を挿入し、係止爪１１２の延出方向に可動係止部６の係止作用部１３を弾性変形させる。これにより、器具支持部３ｂの裏面と可動係止部６の係止作用部１３との間での係止爪１１２の挟持が解放され、スイッチ１０２の取り外しが可能となる。このように、本実施の形態の取付枠１では、取付枠１を扱う工事業者等が頻繁に用いるプラスドライバによって取付枠１からスイッチ１０２を取り外すことができる。よって、マイナスドライバのようなそのような工事業者に使用される機会が少ない工具を用意する必要がなくなり、工具の用意や管理の面倒さが回避される。
【００３９】
【発明の効果】
請求項１記載の配線器具の取付枠の発明は、上述のように構成したので、取付枠に取り付けられた配線器具を取り外す場合、挿入許容部にプラスドライバ様工具を挿入し、係止爪の延出方向に可動係止部を弾性変形させることで、器具支持部の裏面と可動係止部との間での係止爪の挟持を解放させて配線器具の取り外しを行うことができ、したがって、配線器具の取付枠を扱う工事業者等が頻繁に用いるプラスドライバによって取付枠から配線器具を取り外すことができ、マイナスドライバのような一般には使用される機会が少ない工具の用意を不要として工具の用意や管理の面倒さを回避することができる。
【００４０】
請求項１記載の発明において、前記挿入許容部は、前記他方の前記器具支持部の外端面と前記可動係止部との対向部分にそれぞれ形成された弧状の凹部によって構成されているので、挿入許容部を容易に得ることができる。また、挿入許容部を構成する弧状の凹部は、器具支持部の外端面と可動係止部とに分けて設けられるため、器具支持部にだけ設けられた場合に器具支持部が大型化したり、可動係止部にだけ設けられた場合に可動係止部の製作が困難になったりするような不都合を回避することができる。
【００４１】
請求項１記載の発明において、前記可動係止部に形成された前記凹部は前記配線器具の作用部の挿入方向に向かって前記他方の器具支持部から離間するように形成された半すり鉢形状であるので、例えば、金属製の可動係止部の凹部を可動係止部のプレス加工によって形成するような場合、凹部は半すり鉢形状となっているので、可動係止部を構成する金属部材に無理をかけることなく凹部を加工することができる。
【００４２】
請求項２記載の発明は、請求項１記載の配線器具の取付枠において、前記可動係止部は、前記配線器具の他側部から側方に向けて延出する一対の前記係止爪をそれぞれ前記器具支持部の裏面との間で挟持する一対の係止作用部を有し、前記挿入許容部は、それらの一対の係止作用部の間に設けられているので、可動係止部における一対の係止作用部によって、配線器具を安定して可動係止部に係止させることができる。
【００４３】
請求項３記載の発明は、請求項２記載の配線器具の取付枠において、前記可動係止部における前記挿入許容部を形成する部分の幅は、前記配線器具における前記一対の係止爪の間の間隔と略同一であり、前記可動係止部における前記挿入許容部を形成する部分は、前記係止作用部よりも高く形成されているので、配線器具の一対の係止爪を可動係止部における挿入許容部を形成する部分によって位置固定することができ、配線器具をより一層安定して可動係止部に係止させることができる。
【図面の簡単な説明】
【図１】本発明の実施の一形態を示す配線器具の取付枠の正面図である。
【図２】その側面図である。
【図３】固定係止部を拡大して示す縦断側面図である。
【図４】可動係止部を拡大して示す斜視図である。
【図５】固定係止部および可動係止部に対する配線器具の係止構造および係止手順を説明するための取付枠を断面にして示す側面図である。
【図６】固定係止部に対する配線器具の係止構造を説明するための斜視図である。
【図７】可動係止部に対する配線器具の係止構造を説明するための斜視図である。
【図８】従来の取付枠の一例を示す正面図である。
【図９】図８の取付枠に取り付けられる配線器具としてスイッチの一例を示す斜視図である。
【符号の説明】
２：開口部
３：器具支持部
４：枠体
５：固定係止部
６：可動係止部
１３：係止作用部
１４：挿入許容部
１４ａ，１４ｂ：弧状の凹部
１０２：配線器具（スイッチ）
１０３：作用部
１１２：係止爪
【図１】
0003945077.tif 000002
【図２】
0003945077.tif 000003
【図３】
0003945077.tif 000004
【図４】
0003945077.tif 000005
【図５】
0003945077.tif 000006
【図６】
0003945077.tif 000007
【図７】
0003945077.tif 000008
【図８】
0003945077.tif 000009
【図９】
0003945077.tif 000010